(57)【要約】【課題】ファクシミリ部を備えた画像形成装置において、電話回線との接続が断たれていることを検知した場合に、それがユーザの意図によるものかどうかをユーザに確認し、これによって、ユーザの利便性の低下を回避する。【解決手段】画像形成装置としての複合機１００は、報知制御部（例えば回線制御部７１、本体制御部４）を備えている。上記報知制御部は、接続状態判断部としてのＣＰＵ７２によって電話回線４００との接続が断たれていると判断された場合に、ファクシミリ部７の受信モード、接続状態の判断時の電力供給部５の電力供給モード、設定部により予め設定された条件の少なくともいずれかに応じて、接続が断たれていることの報知／非報知を選択し、報知を選択した場合は、外付けのおよび／または複合機１００が備える報知部を動作させて、接続が断たれていることを周囲に報知させる。【選択図】図３
2016100810.tif 000002
【特許請求の範囲】
【請求項１】
電話回線を介して外部との間でデータを送受信するファクシミリ部を備えた画像形成装置であって、
前記ファクシミリ部に電力を供給するための電力供給部をさらに備え、
前記ファクシミリ部は、前記電話回線に印加されている回線電圧に基づいて、前記電話回線と該ファクシミリ部との接続状態を判断する接続状態判断部を有しており、
該画像形成装置は、前記接続状態判断部によって前記電話回線との接続が断たれていると判断された場合に、前記ファクシミリ部の受信モード、前記接続状態の判断時の前記電力供給部の電力供給モード、設定部により予め設定された条件の少なくともいずれかに応じて、接続が断たれていることの報知／非報知を選択し、前記報知を選択した場合は、外付けのおよび／または該装置が備える報知部を動作させて、接続が断たれていることを周囲に報知させる報知制御部をさらに備えていることを特徴とする画像形成装置。
【請求項２】
前記ファクシミリ部は、前記外付けの報知部としての外部電話機と接続されており、
前記受信モードは、
前記電話回線からのデータを前記ファクシミリ部にて自動で受信する自動受信モードと、
前記電話回線からの呼出信号の着信に対して前記外部電話機を鳴動させた後、前記ファクシミリ部での受信の指示があったときに、前記ファクシミリ部にてデータを受信する手動受信モードと、
前記電話回線からの呼出信号の着信後に送信される情報に基づいて、受信先を前記ファクシミリ部と前記外部電話機とで切り替える自動切り替えモードとを有しており、
前記報知制御部は、前記電話回線との接続が断たれていると判断された場合において、前記受信モードが前記自動受信モードのときには前記非報知を選択し、前記受信モードが前記手動受信モードまたは前記自動切り替えモードのときには前記報知を選択することを特徴とする請求項１に記載の画像形成装置。
【請求項３】
前記ファクシミリ部は、前記電話回線からの呼出信号を検知する回線制御部を前記報知制御部として有しており、
前記報知制御部は、前記報知を選択したときに、前記外部電話機を鳴動させることによって、接続が断たれていることを周囲に報知させることを特徴とする請求項２に記載の画像形成装置。
【請求項４】
前記報知制御部は、前記外部電話機を鳴動させた後、受話ができる状態となったときに、前記電話回線との接続が断たれていることを示す音声パターンを流すことを特徴とする請求項３に記載の画像形成装置。
【請求項５】
前記電力供給モードを制御する電力供給制御部をさらに備え、
前記電力供給モードは、前記ファクシミリ部の前記回線制御部および前記接続状態判断部に電力を供給する通常モードと、前記回線制御部に電力を供給する一方、前記接続状態判断部への電力供給を停止する省電力モードと、前記回線制御部および前記接続状態判断部への電力供給を停止するオフモードと、前記省電力モードにおいて前記オフモードへの移行の要否を判断するために定期的に通常モードに復帰する一時復帰モードとを含み、
前記電力供給制御部は、前記通常モードまたは前記一時復帰モードにおいて、前記電話回線との接続が断たれていると判断され、前記受信モードに応じて前記非報知が選択された場合に、前記電力供給モードを前記オフモードに移行させることを特徴とする請求項３または４に記載の画像形成装置。
【請求項６】
前記報知制御部は、前記電話回線との接続が断たれていると判断された場合に、前記接続状態の判断時の前記電力供給モードに応じて、該装置が備える前記報知部での報知の態様を異ならせることを特徴とする請求項１から５のいずれかに記載の画像形成装置。
【請求項７】
前記電力供給モードを制御する電力供給制御部をさらに備え、
前記ファクシミリ部は、前記電話回線からの呼出信号を検知する回線制御部をさらに有しており、
前記電力供給モードは、前記ファクシミリ部の前記回線制御部および前記接続状態判断部に電力を供給する通常モードと、前記回線制御部に電力を供給する一方、前記接続状態判断部への電力供給を停止する省電力モードと、前記回線制御部および前記接続状態判断部への電力供給を停止するオフモードと、前記省電力モードにおいて前記オフモードへの移行の要否を判断するために定期的に通常モードに復帰する一時復帰モードとを含み、
前記報知部は、前記電話回線との接続が断たれていることを警告として表示するための表示部と、警告音を発生する警告音発生部とを有しており、
前記報知制御部は、前記接続状態の判断時の電力供給モードが前記通常モードである場合には、前記表示部に警告を表示させるとともに、前記警告音発生部にて警告音を発生させることを特徴とする請求項６に記載の画像形成装置。
【請求項８】
ユーザからの前記電力供給モードの指定を受け付ける入力部をさらに備え、
前記電力供給制御部は、前記報知部による報知後、前記入力部にて前記電力供給モードの指定があったときに、指定された電力供給モードに移行させることを特徴とする請求項７に記載の画像形成装置。
【請求項９】
前記報知制御部は、前記接続状態の判断時の電力供給モードが前記一時復帰モードである場合には、前記表示部にて警告表示のみを行わせることを特徴とする請求項７に記載の画像形成装置。
【請求項１０】
ユーザからの前記電力供給モードの指定を受け付ける入力部をさらに備え、
前記電力供給制御部は、前記表示部での警告表示を開始してから所定時間内に、前記入力部にて前記電力供給モードの指定があったときに、指定された電力供給モードに移行させる一方、前記指定がなかったときには前記オフモードに移行させることを特徴とする請求項９に記載の画像形成装置。
【請求項１１】
前記報知制御部は、前記電話回線との接続が断たれていると判断されたときに、前記設定部にて報知要が設定されている場合のみ、前記報知部にて報知させることを特徴とする請求項１から１０のいずれかに記載の画像形成装置。
【請求項１２】
前記電力供給モードを制御する電力供給制御部をさらに備え、
前記ファクシミリ部は、前記電話回線からの呼出信号を検知する回線制御部をさらに有しており、
前記電力供給モードは、前記ファクシミリ部の前記回線制御部および前記接続状態判断部に電力を供給する通常モードと、前記回線制御部に電力を供給する一方、前記接続状態判断部への電力供給を停止する省電力モードと、前記回線制御部および前記接続状態判断部への電力供給を停止するオフモードとを含み、
前記電力供給制御部は、前記電話回線との接続が断たれていると判断されたときに、前記設定部にてオフモードへの移行要が設定されている場合のみ、前記電力供給モードを前記オフモードに移行させることを特徴とする請求項１１に記載の画像形成装置。
【請求項１３】
用紙上に画像を形成するための画像形成機構をさらに備え、
前記報知部は、前記画像形成機構であり、
前記報知制御部は、前記画像形成機構を制御して、前記電話回線との接続が断たれていることを示すレポートを前記用紙上に出力させることにより、報知を行わせることを特徴とする請求項１１または１２に記載の画像形成装置。
【発明の詳細な説明】
【技術分野】
【０００１】
本発明は、電話回線と接続されるファクシミリ部を備えた画像形成装置に関するものである。
【背景技術】
【０００２】
従来から、ネットワークに接続され、ネットワークからの特定のプロトコルに応じて、機器の省電力モードへの移行や通常モードへの復帰を制御するシステムが種々提案されている。ここで、通常モードとは、機器の各部に電力を供給することで、所定の機能（例えば画像形成装置であればコピー機能）を発揮させることが可能なモードを指し、省電力モードとは、機器の一部への電力供給を停止して、消費電力を通常モードよりも低減させるモードを指すものとする。
【０００３】
例えば、特許文献１では、ネットワークを介して受信されるデータパケットが従うプロトコルに対応する、省電力モードからデバイスを復帰させるための復帰条件を設定する設定手段と、特定のプロトコルに従うデータパケットを受信した場合に、上記設定手段が設定した復帰条件において、ネットワークデバイスを省電力モードから復帰させる復帰手段とを備えたネットワークデバイスが開示されている。特許文献１では、不要なパケット受信で、省電力モードから復帰する回数が増加して省電力モードの機能を阻害するという問題、および従来のネットワークデバイスの省電力制御技術では、プロトコルタイプの選択など複雑で専門的すぎて利用者がわかりにくいという問題に対して、ユーザが熟練者でなくても、ネットワークを介して受信したデータが従うプロトコルを考慮した、節電効果がより高いネットワークデバイスを提供しようとしている。
【先行技術文献】
【特許文献】
【０００４】
【特許文献１】特開２００６−３０９７３１号公報（請求項１、段落［０００５］、［００１７］、［００２２］等参照）
【発明の概要】
【発明が解決しようとする課題】
【０００５】
近年では、コピー、ファクシミリ、スキャナ、プリンタ等の諸機能を併せ持つ、いわゆるＭＦＰ（Multi Function Peripheral）と呼ばれる複合機を、イーサネット（登録商標）や無線ＬＡＮ（Wireless Local Area Network）などのネットワークと接続して利用する形態が増えている。このような複合機では、ＮＩＣ（Network Interface controller）と呼ばれるネットワーク制御部をネットワークと接続して動作させることで、ネットワークから自機へのデータ送信の有無を監視することができる。したがって、省電力モードにおいては、少なくとも上記ネットワーク制御部に電力を供給しておき、ネットワークから自機へのデータ送信があったとき、複合機を通常モードに復帰させることができる。
【０００６】
ファクシミリ機能（ファクシミリ部）を備えた複合機においては、上記のようにネットワークから送信されるデータをネットワーク制御部にて受信することで通常モードに復帰する以外に、上記ネットワークとは別の通信回線である電話回線を介して呼出信号（リンガー信号）をファクシミリ部にて受信したときでも通常モードに復帰する構成が一般的に採用されている。すなわち、上記複合機は、省電力モードにおいて、ファクシミリ部の主要な回路（例えばＣＰＵ；Central Processing Unit ）への電力供給を停止し、必要最小限の電力で呼出信号の受信のみを検知できる構成となっているのが一般的である。
【０００７】
一方、昨今では、省電力化のための環境規制が強化されるなか、ファクシミリ部（例えば、ファクシミリ通信に関する回路がまとめられた基板）が電話回線と接続されていない場合には、そのことを検出して、省電力モードから、ファクシミリ部全体への電力供給を停止した、より消費電力の低いモード（便宜的にこのモードを「オフモード」と呼ぶ）に速やかに移行させることが要求されている。なお、ファクシミリ部が電話回線と接続されていない状況としては、例えば電話回線と接続されるモジュラー線をユーザが複合機本体から意図的に抜いた場合（モジュラー線抜け）を想定することができる。また、ファクシミリ部が電話回線と接続されているか否かは、ファクシミリ部にて電話回線に印加されている回線電圧を検知することで判断できる。例えば回線電圧として０Ｖを検知した場合は、電話回線との接続が断たれていると判断できる。
【０００８】
ところが、電話回線と接続される交換局や終端装置（ＴＡ；Terminal Adapter／ＤＳＵ；Digital Service Unit）が一時的に停電した場合も、電話回線の回線電圧は０Ｖとなり、モジュラー線抜けと同じ状態となってしまう。このため、交換局等が停電した場合において、これをモジュラー線抜けと判断し、上記環境規制の要求に応えるべく安易にオフモードに移行してしまうと、停電からの復旧によって交換局等の電力が回復したときでも、電話回線からの着呼（呼出信号の受信）を検知することができず（オフモードではファクシミリ部全体への電力供給を停止しているため）、着呼の検知によって通常モードに復帰することができない。これでは、停電からの復旧後、ファクシミリ部にてデータを受信することができないため、ユーザの利便性が損なわれてしまう。また、例えば、ファクシミリ部を介して外部電話機を電話回線と接続して使用する形態では、停電からの復旧後、ファクシミリ部がオフモードであるために、着呼があっても外部電話機での通話ができない状態となり、この場合もユーザの利便性が損なわれてしまう。
【０００９】
上記のモジュラー線抜けは、「モジュラー線を抜く」というユーザの動作（意図）によって生じるものであり、この場合は、ユーザがファクシミリ部または外部電話機を使用しないことの意思表示と考えられるため、モジュラー線抜けを検知した後にオフモードに移行しても、ユーザの利便性を損なうことにはならない。これに対して、交換局等の停電は、ユーザの意図と全く関係なく生じるものであり、安易にオフモードに移行すると、上述のように停電からの復旧時にファクシミリ部または外部電話機の使用ができないことになってユーザの利便性が損なわれる。したがって、電話回線との接続が断たれたことを検知した場合は、これがユーザの意図によるものか、意図によらないものかをユーザに確認し、その結果に応じて、電力供給モードを制御することが望ましい。
【００１０】
この点、上述した特許文献１では、ファクシミリ部を備えた構成で、電話回線との接続が断たれていることを検知した場合に、ユーザの利便性低下を回避すべく、回線断がユーザの意図によるものか、意図によらないものかをユーザに確認する点の開示は全くない。
【００１１】
本発明は、上記の問題を解決するためになされたものであって、その目的は、電話回線と接続されるファクシミリ部を備えた構成で、電話回線との接続が断たれていることを検知した場合に、それがユーザの意図によるものかどうかをユーザに確認し、これによって、ユーザの利便性の低下を回避できる画像形成装置を提供することにある。
【課題を解決するための手段】
【００１２】
本発明の一側面に係る画像形成装置は、電話回線を介して外部との間でデータを送受信するファクシミリ部を備えた画像形成装置であって、前記ファクシミリ部に電力を供給するための電力供給部をさらに備え、前記ファクシミリ部は、前記電話回線に印加されている回線電圧に基づいて、前記電話回線と該ファクシミリ部との接続状態を判断する接続状態判断部を有しており、該画像形成装置は、前記接続状態判断部によって前記電話回線との接続が断たれていると判断された場合に、前記ファクシミリ部の受信モード、前記接続状態の判断時の前記電力供給部の電力供給モード、設定部により予め設定された条件の少なくともいずれかに応じて、接続が断たれていることの報知／非報知を選択し、前記報知を選択した場合は、外付けのおよび／または該装置が備える報知部を動作させて、接続が断たれていることを周囲に報知させる報知制御部をさらに備えている。
【発明の効果】
【００１３】
上記構成によれば、電話回線との接続が断たれている場合には、報知制御部により、ファクシミリ部の受信モード、接続状態の判断時の電力供給モード、設定部により予め設定された条件の少なくともいずれかに応じて、ユーザへの報知／非報知が選択される。そして、報知が選択された場合には、報知部（例えば外付けの外部電話機、装置が備える表示部、警告音発生部、画像形成機構）によって周囲に報知させる。この報知により、回線断がユーザの意図によるものかどうか（モジュラー線抜けによるものか、交換局の停電によるものか）をユーザに確認できる。そして、回線断が交換局の停電などのユーザの意図によらないものである場合には、ユーザは、必要に応じて、電力供給モードを、復旧後にファクシミリ部にてデータを受信することができるモードに移行するよう指示できる。したがって、回線断がユーザの意図によらないものである場合に、復旧後にデータを受信できない事態が生じるのを回避して、ユーザの利便性が低下するのを回避することができる。
【図面の簡単な説明】
【００１４】
【図１】本発明の実施の形態に係る画像形成装置としての複合機の一構成例を示す説明図である。
【図２】上記複合機のハードウェア構成の一例を示すブロック図である。
【図３】上記複合機の主要部の構成を示すブロック図である。
【図４】上記複合機において、電話回線との接続が断たれていることを検知した場合の処理の流れの一例を示すフローチャートである。
【図５】上記処理の流れの他の例を示すフローチャートである。
【図６】上記処理の流れのさらに他の例を示すフローチャートである。
【発明を実施するための形態】
【００１５】
本発明の実施の一形態について、図面に基づいて説明すれば以下の通りである。以下では、画像形成装置として複合機１００を例に挙げて説明する。但し、本実施の形態に記載されている構成、配置等の各要素は、発明の範囲を限定せず、単なる説明例にすぎない。
【００１６】
（複合機の概略の構成）
図１は、複合機１００の一構成例を示す説明図である。複合機１００は、前面に操作パネル１（破線で図示）を有している。複合機１００の上部には、原稿搬送部２ａと画像読取部２ｂとが設けられている。また、複合機１００の内部には、用紙上に画像を形成するための画像形成機構３（給紙部３ａ、搬送部３ｂ、画像形成部３ｃ、定着部３ｄ）が設けられている。
【００１７】
操作パネル１は、複合機１００の状態、メッセージ、設定画面を表示する表示部１１を備えている。表示部１１にはタッチパネル部１２が設けられている。タッチパネル部１２は、画面に対する入力操作（タッチ）を受け付け、表示部１１で押された部分の位置、座標を検出するためのものである。タッチパネル部１２の出力に基づき、操作された（押された）ボタンやソフトキーが認識される。また、操作パネル１には、スタートキーやテンキーのような複数のハードキー１３も設けられている。なお、操作パネル１には、タッチパネル部１２の出力に基づき、操作されたソフトキーや操作されたハードキー１３の認識を行い、また、表示部１１の表示制御を行うパネル制御部１０（図２参照）が設けられている。
【００１８】
また、操作パネル１は、後述するファクシミリ部７の受信モードや、電話回線４００との接続が断たれている場合の報知や処理に関する条件の設定入力を受け付ける設定部として機能しており、また、ユーザからの後述する電力供給モードの指定を受け付ける入力部としても機能している。
【００１９】
原稿搬送部２ａは、セットされた原稿を１枚ずつ送り読取用コンタクトガラス（読み取り位置、不図示）に向けて連続的、自動的に搬送する。画像読取部２ｂは、送り読取用コンタクトガラスを通過する原稿や、載置読取用コンタクトガラス（不図示）にセットされた原稿を読み取り、画像データを生成する。
【００２０】
画像形成機構３の給紙部３ａは、複数の用紙を収容する。図１に示す例では、２つの給紙カセットが給紙部３ａとして設けられる。印刷ジョブを実行するとき、何れかの給紙カセットが１枚ずつ用紙を搬送部３ｂに送り出す。搬送部３ｂは給紙部３ａから供給された用紙を搬送する。画像形成部３ｃは、画像データに基づき感光体上にトナー像を形成し、搬送される用紙にトナー像を転写する。定着部３ｄは、用紙に転写されたトナー像を定着させる。トナー定着後の用紙は、排出トレイ３ｅに排出される。
【００２１】
（複合機のハードウェア構成）
次に、複合機１００の全体のハードウェア構成について説明する。図２は、複合機１００のハードウェア構成の一例を示すブロック図である。複合機１００内には、本体制御部４、電力供給部５、省電力制御部６、ファクシミリ部７および警告音発生部８が設けられている。
【００２２】
本体制御部４は、制御基板や各種素子、回路等を組み合わせて構成されており、複合機１００の各部の制御を司る。例えば画像形成機構３による画像形成動作は、この本体制御部４によって制御される。
【００２３】
電力供給部５は、例えば商用電源と接続される。電力供給部５内には、整流回路、昇圧トランス、ＤＣ／ＤＣコンバータ等、複数の回路、素子（不図示）が配され、各種電圧を生成する。例えば、画像形成部３ｃ内の感光体等のような各種回転体を回転させるためのモータ駆動用の電圧（例えばＤＣ２４Ｖ）や、本体制御部４を駆動するための直流電圧（例えば５Ｖや３．３Ｖ等）などを生成する。電力供給部５で生成した電圧は、複合機１００内の各部に供給される。つまり、複合機１００内の各部には、電力供給部５から駆動に必要な電力が供給される。
【００２４】
ここで、電力供給部５の電力供給モードとしては、通常モード、省電力モード、オフモードがある。通常モードは、複合機１００内の各部に電力を供給して各部を動作させるモードである。この通常モードでは、画像形成等の通常の動作が行われる。省電力モードは、複合機１００内の一部にのみ電力を供給し、他への電力供給を停止して、通常モードよりも省電力化を図るモードである。例えば通常モードでの画像形成動作の終了後、一定時間が経過すると、電力供給モードを通常モードから省電力モードに移行させることで、待機時の省電力化を図ることができる。オフモードは、複合機１００内の各部への電力供給を停止して、省電力モードよりもさらに省電力化を図るモードであり、最も省電力効果の高いモードである。
【００２５】
省電力制御部６は、電力供給部５の上述した電力供給モードを制御する電力供給制御部である。すなわち、省電力制御部６は、複合機１００の使用状態に応じて電力供給部５を制御して、電力供給モードを、通常モード、省電力モード、オフモードのいずれかに移行させる。
【００２６】
この省電力制御部６は、後述する電話回線４００以外の通信回線であるネットワーク２００（例えばイーサネットや無線ＬＡＮ）と接続されて、外部のコンピュータ３００（例えばパーソナルコンピュータやサーバー）との間でデータの送受信等を行うネットワーク制御部（ＮＩＣ）としても機能している。これにより、ネットワーク２００を介して画像データや特定のプロトコルを受信したり、複合機１００のステータス情報をネットワーク２００を介して外部に送信することができる。また、ネットワーク２００からの画像データや特定のプロトコルの受信に基づいて、電力供給モードを省電力モードから通常モードに移行させることも可能となる。
【００２７】
また、省電力モードにおいて、ネットワーク２００からの特定のプロトコルを監視する機能や、ネットワーク２００を介してステータス情報を送出する機能を実現するためには、ネットワーク２００と接続されるＭＡＣ（Media Access Controller ）部が動作している必要がある。これらのネットワーク機能を停止させずに省電力モードでの電力の消費を極限まで小さくすることができれば、複合機１００の省電力を改善することができる。このため、本実施形態では、ネットワーク制御部と省電力制御部６とを一体化する回路構成とし、省電力モードでは、省電力制御部６にも電力を供給し、これ以外の部分（例えば本体制御部４や、回線制御部７１以外のファクシミリ部７）への電力供給を停止する。これにより、省電力モードにおいて、必要なネットワーク機能を利用できる状態としながら、複合機１００の消費電力を必要最小限に抑えることができる。さらに、ネットワークケーブルが接続されていないなど、ネットワーク２００との接続が断たれていることを検出した場合には、ネットワーク制御部を兼ねた省電力制御部６への電力供給を停止して、さらなる低消費電力状態にすることができる（オフモード）。
【００２８】
ファクシミリ部７は、電話回線４００およびこれと接続される交換局６００を介して外部との間でデータを送受信するものである。ここで、ファクシミリ部７での送受信の対象となるデータとは、文字、図形、絵等を構成する点や線などのデータを示す。電話回線４００には、外部電話機５００がファクシミリ部７を介して接続されており、電話回線４００を共用して、外部電話機５００による通話およびファクシミリ部７によるデータの送受信が可能となっている。外部電話機５００は、複合機１００に対して外付けのもの（いわゆるオプション）で、電話回線４００以外の通信回線（有線、無線を問わない）を介してファクシミリ部７と通信できるものであればよく、固定電話であってもよいし、携帯電話であってもよいし、その他の通信機器であってもよい。
【００２９】
警告音発生部８は、本体制御部４の制御のもとで、警告音（警告のための音声メッセージを含む）を発生するものであり、ブザー、音声出力装置、スピーカーなどを有して構成されている。例えば紙詰まりのように装置に異常が生じた場合や、停電などにより電話回線４００との接続が断たれた場合には、警告音または音声メッセージの出力によって周囲に報知することができる。
【００３０】
（主要部の詳細構成）
次に、上述した本体制御部４、電力供給部５、省電力制御部６およびファクシミリ部７の詳細について説明する。図３は、複合機１００の主要部の構成を示すブロック図である。なお、図３において、供給される電力の方向は、白抜矢印で示している。
【００３１】
本体制御部４内には、中央演算処理装置としてのＣＰＵ４１、制御を行うためのデータやプログラムを記憶するＲＯＭ４２、データ、プログラム、画像データ、操作パネル１を介して設定された条件等を一時的に記憶するＲＡＭ４３およびＨＤＤ（ハードディスク装置）４４、画像データに濃度変換や拡大／縮小等の画像処理を施す画像処理部４５、ファクシミリ部７との間でデータの送受信を行うためのＩ／Ｆ（インターフェイス）部４６、省電力制御部６との間でデータの送受信を行うためのＩ／Ｆ４７が設けられている。
【００３２】
電話回線４００を介してファクシミリ部７で受信した画像データや、ネットワーク２００を介して省電力制御部６にて受信した画像データは、それぞれＩ／Ｆ部４６・４７を介して本体制御部４内に取り込まれ、ＲＡＭ４３またはＨＤＤ４４に記憶される。そして、必要に応じて画像処理部４５にて画像処理が施された後、画像形成機構３に送出され、そこで画像として印字される。
【００３３】
電力供給部５内には、省電力用電力制御部５１と、通常用電力制御部５２とが設けられている。省電力用電力制御部５１は、省電力モードにおいて、ファクシミリ部７の後述する回線制御部７１と、省電力制御部６にのみ電力を供給し、それ以外への電力供給を停止する。すなわち、省電力モードでは、回線制御部７１を除いてファクシミリ部７への電力供給が停止される。通常用電力制御部５２は、通常モードで動作し、複合機１００内のファクシミリ部７を含む各部に電力を供給する。なお、オフモードでは、電力供給部５は、省電力用電力制御部５１による電力供給、すなわち、回線制御部７１を含むファクシミリ部７、および省電力制御部６への電力供給も停止する。
【００３４】
省電力制御部６内には、上記した電力供給部５（省電力用電力制御部５１、通常用電力制御部５２）による電力供給を制御する中央演算処理装置としてのＣＰＵ６１が設けられている。また、省電力制御部６内には、省電力制御やネットワーク制御のためのプログラムやデータ等を記憶するＲＯＭ／ＲＡＭ６２、ネットワーク２００からの特定のプロトコルを監視したり、ネットワーク２００へ複合機１００のメンテナンス情報やステータス情報を送出するためのＭＡＣ部６３、本体制御部４との間でデータの送受信を行うためのＩ／Ｆ６４、ファクシミリ部７の回線制御部７１から送信される呼出信号の検知信号（着呼検知信号）が入力されるＩ／Ｏ部６５が設けられている。
【００３５】
省電力モードにおいて、Ｉ／Ｏ部６５が上記検知信号を受信すると、ＣＰＵ６１は、電力供給部５の通常電力用電力制御部５１を制御して、電力供給モードを通常モードに移行させる。これにより、省電力モードでは、ファクシミリ部７において呼出信号の受信の検知に必要な回線制御部７１のみを動作させて、ファクシミリ部７での消費電力を必要最小限に抑えながら、呼出信号の受信後は、通常モードへの復帰により、電話回線４００を介して受信するデータに対する、後述する画像処理部７５での画像処理や、画像処理後のデータに基づく画像形成機構３での画像形成動作が可能となる。
【００３６】
また、省電力制御部６内には、計時部６６が設けられており、計時部６６にて各種の時間を計時することが可能となっている。例えば、画像形成機構３による画像形成動作の終了時点からの経過時間、操作パネル１（表示部１１）にて後述する警告表示を開始してからの経過時間など、種々の時間を計時部６６にて計時することができる。計時部６６による計時時間は、例えば次に画像形成動作を開始したときにＣＰＵ６１によってリセットされる。
【００３７】
ファクシミリ部７は、回線制御部７１、中央演算処理装置としてのＣＰＵ７２、制御のためのデータやプログラム、操作パネル１にて設定入力された受信モード（後述する）などを記憶するＲＯＭ／ＲＡＭ７３、画像蓄積用のＮＶＲＡＭ（不揮発性ＲＡＭ）７４、画像データに対して画像処理を施す画像処理部７５、電話回線４００との接続のためのＭＯＤＥＭ７６、本体制御部４との間でデータの送受信を行うためのＩ／Ｆ部７７が設けられている。
【００３８】
回線制御部７１は、電話回線４００と接続され、電話回線４００に印加されている回線電圧を検知するＮＣＵ（Network Control Unit）である。電話回線４００には、交換局６００によって所定の電圧（例えば４２〜５３Ｖ程度）の直流電圧が加えられており、回線制御部７１はこの電圧を回線電圧として検知する。また、回線制御部７１は、電話回線４００からの呼出信号を検知したときには、その検知信号（着呼検知信号）を省電力制御部６に出力する。これにより、上述したように、省電力制御部６による通常モードへの復帰制御により、電話回線４００を介して受信する画像データに基づく画像形成が可能となる。
【００３９】
なお、省電力モードでは、上述のように、回線制御部７１に電力が供給されるため、回線制御部７１が電話回線４００からの呼出信号を検知して、上記のように通常モードに復帰することが可能となる。しかし、オフモードでは、回線制御部７１への電力供給が停止されるため、上記呼出信号の検知ができず、上記呼出信号の検知に基づく通常モードへの復帰もできなくなる。このことから、省電力モードは、電話回線４００からの着呼によって通常モードへの復帰が可能なモードであり、オフモードは、着呼によって通常モードへの復帰ができない状態まで機能を停止させて、省電力モードよりもさらに低消費電力となるモードであるとも言える。
【００４０】
また、回線制御部７１は、外部電話機５００と接続されており、外部電話機５００を鳴動させる機能と、外部電話機５００とＭＯＤＥＭ７６との間で音声信号を送受する機能とを有している。これにより、電話回線４００との接続が断たれている場合には、回線制御部７１が外部電話機５００を鳴動させて周囲に報知させたり、ユーザが外部電話機５００の受話器を上げたときに、接続が断たれていることを示す音声メッセージを流したりすることが可能となる。
【００４１】
ＣＰＵ７２は、電話回線４００に印加されている回線電圧、つまり、回線制御部７１にて検知された回線電圧に基づいて、電話回線４００とファクシミリ部７との接続状態を判断する接続状態判断部である。例えば、回線制御部７１にて、回線電圧として０Ｖが検知された場合は、ＣＰＵ７２は複合機１００（ファクシミリ部７）と電話回線４００との接続が断たれていると判断でき、回線電圧として４０Ｖ以上が検知されている場合は、ＣＰＵ７２は電話回線４００との接続が維持されていると判断できる。電話回線４００との接続が断たれている状態としては、例えば電話回線４００と接続されるモジュラー線が複合機１００（ファクシミリ部７）から抜けている事態や、交換局６００または終端装置の一時的な停電などを想定することができる。なお、前者は、モジュラー線を抜くというユーザの意図に基づいて起こるが、後者はユーザの意図に基づかず、ユーザの意図とは無関係に起こる。
【００４２】
上述したように、通常モードでは、ファクシミリ部７の全体に電力が供給されるため、ＣＰＵ７２は回線電圧に基づく電話回線４００との接続状態の判断が可能である。しかし、省電力モードでは、回線制御部７１を除いてファクシミリ部７への電力供給が停止されるため、ＣＰＵ７２は動作することができず、上記の判断ができない。
【００４３】
一方、ファクシミリ部７が電話回線４００と接続されていない場合には、省電力モードから消費電力のより低いモードに移行させることが、環境規制の強化の観点から要求されていることは前述の通りである。この要求に応えるためには、省電力モードでは、定期的に通常モードに復帰してＣＰＵ７２を定期的に動作させ、電話回線４００との接続状態を判断させる必要がある。
【００４４】
しかし、通常モードにおいて、ＣＰＵ７２が電話回線４００との接続状態を判断し、接続が断たれていると判断した場合において、一律に（接続が断たれている原因がユーザの意図に基づくものか否かに関係なく）オフモードに移行したのでは、接続が断たれている原因が交換局６００等の停電など、ユーザの意図に基づかないものである場合に、停電から復旧した後に複合機１００（特にファクシミリ部７）や外部電話機５００を利用できない状態となり（ファクシミリ部７がオフモードであるため）、ユーザの利便性が損なわれる。
【００４５】
そこで、本実施形態では、電話回線４００との接続が断たれている場合には、ファクシミリ部７の受信モード、接続状態の判断時の電力供給モード、操作パネル１にて予め設定された条件のいずれかに応じて、接続が断たれていることの報知／非報知を選択し、報知を選択した場合は周囲に報知させるようにしている。以下、より詳細に説明する。
【００４６】
なお、以下での説明において、ファクシミリ部７がファクシミリ通信（データの送受信）を行うことが可能な通常モードと、省電力モードにおいてオフモードへの移行の要否を判断するために定期的に復帰する通常モードとを区別するために、後者の通常モードを便宜的に一時復帰モードと呼ぶことにする。したがって、省電力制御部６によって制御される電力供給モードは、ファクシミリ部７の回線制御部７１およびＣＰＵ７２に電力を供給する通常モードと、回線制御部７１に電力を供給する一方、ＣＰＵ７２への電力供給を停止する省電力モードと、回線制御部７１およびＣＰＵ７２への電力供給を停止するオフモードと、省電力モードにおいてオフモードへの移行の要否を判断するために定期的に通常モードに復帰する一時復帰モードとを含むことになる。
【００４７】
（ファクシミリ部の受信モードに応じた処理）
図４は、複合機１００において、電話回線４００との接続が断たれていることを検知した場合の処理の流れの一例を示すフローチャートである。まず、図４の処理について説明する前に、ファクシミリ部７の受信モードについて説明する。ファクシミリ部７の受信モードとしては、自動受信モード、手動受信モード、自動切り替えモードの３種類がある。これらの受信モードは、操作パネル１を介して予め設定することができる。設定された受信モードは、例えばファクシミリ部７のＲＯＭ／ＲＡＭ７３に記憶される。
【００４８】
自動受信モードとは、電話回線４００からのデータをファクシミリ部７にて自動で受信するモードである。例えば、外部電話機５００の使用を想定していない場合（ファクシミリ部７に対して外部電話機５００が接続されていない場合）には、受信モードを自動受信モードに設定しておくことにより、着信データを全てファクシミリ部７にて受信することができる。
【００４９】
手動受信モードとは、電話回線４００からの呼出信号（リンガー信号）の着信に対して、外部電話機５００を鳴動させた後、操作パネル１でのユーザの手動操作によってファクシミリ部７での受信の指示があったときに、ファクシミリ部７にてデータを受信するモードである。この手動受信モードは、着信に対して外部電話機５００を鳴動させることから、外部電話機５００の使用を想定したモードであると言える。
【００５０】
自動切り替えモードとは、電話回線４００からの呼出信号の着信後に送信される情報に基づいて、受信先をファクシミリ部７と外部電話機５００とで自動で切り替えるモードである。すなわち、自動切り替えモードも、手動受信モードと同様に、外部電話機５００の使用を想定したモードである。ここで、呼出信号の着信後に送信される情報としては、ファクシミリ部７での受信の対象となるデータであってもよいが、呼出信号の着信後に送信側から送信される識別信号（例えばＣＮＧ信号）であってもよい。上記の識別信号は、送信側がファクシミリ機能を持っていることを示す信号である。受信側の装置がこの識別信号を受けて自分がファクシミリ機能を持っていることを示す初期通信信号（例えばＣＥＤ信号）を送信側に向けて発信すると、送信側の装置は、この初期通信信号を受けて、お互いがファクシミリ機能を有していることを認識し、受信側に向けてデータを送信することになる。
【００５１】
次に、図４の処理について説明する。まず、通常モードまたは一時復帰モードにおいて、ファクシミリ部７の回線制御部７１で検知される回線電圧に基づき、ＣＰＵ７２は、電話回線４００との接続が断たれているか否か（回線電圧を喪失しているかどうか）を判断する（Ｓ１）。Ｓ１にて、電話回線４００との接続が断たれていると判断されると、回線制御部７１は、ＲＯＭ／ＲＡＭ７３を参照し、ファクシミリ部７の受信モードが自動受信モードであるか否かを判断する（Ｓ２）。
【００５２】
Ｓ２にて、自動受信モードである場合、ユーザによる外部電話機５００の使用を想定しておらず、回線電圧の喪失は、ユーザがモジュラー線を意図的に抜いたことによるものと考えられるため、オフモードに移行しても、ユーザの利便性が損なわれることにはならない。そこで、回線制御部７１は外部電話機５００によるユーザへの報知は不要と判断し、非報知を選択する（Ｓ３）。そして、省電力制御部６は、電力供給モードをオフモードに移行させ（Ｓ４）、処理を終了する。つまり、Ｓ３で非報知を選択した後は、外部電話機５００の鳴動によるユーザへの報知を行わずに、オフモードに移行する。
【００５３】
一方、Ｓ２にて、受信モードが自動受信モードでない場合、回線制御部７１は、受信モードが手動受信モードであるか否かを判断する（Ｓ５）。手動受信モードである場合、ユーザによる外部電話機５００の使用を想定しており、回線電圧の喪失は、モジュラー線抜けなどのユーザの意図によるものではなく、交換局６００の一時的な停電など、ユーザの意図によらないものと考えられる。この場合に、ユーザに確認することなくオフモードに移行すると、ユーザの利便性を損なうことになりかねない。このため、回線制御部７１は、ユーザへの報知を選択し（Ｓ６）、ユーザへの報知を行う（Ｓ７）。Ｓ７での報知は、外部電話機５００を鳴動させたり、外部電話機５００の鳴動後、ユーザが受話器を上げたときに、電話回線４００との接続が断たれていることを示す音声パターンを流すことによって行われる。
【００５４】
Ｓ７の後は、操作パネル１でのユーザの指示を仰ぎ、省電力制御部６は、電力供給モードをユーザが指示するモードに移行させる（Ｓ８）。なお、手動受信モードでは、外部電話機５００の使用を想定しているため、Ｓ８では、停電からの復旧後に外部電話機５００の使用ができないオフモードへの移行ではなく、外部電話機５００の使用ができる通常モード、または、着呼で通常モードに復帰して外部電話機５００の使用が可能となる省電力モードへの移行が指示されて、それらの（いずれかの）モードに移行する可能性が高いと考えられる。
【００５５】
Ｓ５において、受信モードが手動受信モードでない場合、回線制御部７１は、受信モードが自動切り替えモードであると判断する（Ｓ９）。自動切り替えモードも手動受信モードと同様に、ユーザによる外部電話機５００の使用を想定したモードであるため、回線電圧の喪失は、交換局６００等の一時的な停電など、ユーザの意図によるものではないと考えられる。したがって、この場合、回線制御部７１はユーザへの報知を選択し（Ｓ１０）、ユーザへの報知を行う（Ｓ１１）。Ｓ１１での報知は、Ｓ７と同様に、外部電話機５００を鳴動させたり、外部電話機５００の鳴動後、ユーザが受話器を上げたときに、電話回線４００との接続が断たれていることを示す音声パターンを流すことによって行われる。その後は、Ｓ８に移行して、省電力制御部６は、電力供給モードをユーザが指示するモードに移行させる。
【００５６】
なお、Ｓ１１にて、外部電話機５００を鳴動させるときの呼出信号のパターン（リンガーパターン）は、外部電話機５００が留守番電話機である場合を想定して、留守番電話機が着呼を検出できるパターンとしてもよい。また、留守番電話機が受話（応答）した場合を想定して、回線制御部７１からは、回線断（電話回線４００との接続が断たれていること）を検知したことやその検知時刻などの情報を、音声パターンとして留守番電話機に流してもよい。
【００５７】
以上のように、ファクシミリ部７の回線制御部７１は、ＣＰＵ７２によって電話回線４００との接続が断たれていると判断された場合に（Ｓ１）、ファクシミリ部７の受信モードに応じて、接続が断たれていることの報知／非報知を選択し（Ｓ３、Ｓ６、Ｓ１０）、報知を選択した場合は、複合機１００に外付けされる、報知部としての外部電話機５００を動作（鳴動）させて、接続が断たれていることを周囲に報知させる報知制御部として機能している（Ｓ７、Ｓ１１）。
【００５８】
外部電話機５００による報知により、電話回線４００との接続が断たれたことがユーザの意図によるものかどうか（モジュラー線抜けによるものか、停電によるものか）をユーザに確認できる。そして、この確認を経て、電力供給モードをユーザ指示に基づいてオフモード以外のモード（通常モードまたは省電力モード）に移行できる。したがって、ユーザにとってみれば、電話回線４００との接続が断たれたときに一律にオフモードに移行することによる弊害（例えば停電からの復旧時に装置を使用できないことによる利便性低下）が生じるのを回避することができる。
【００５９】
また、回線制御部７１は、ＣＰＵ７２にて電話回線４００との接続が断たれていると判断された場合において、受信モードが自動受信モードのときには非報知を選択し（Ｓ３）、受信モードが手動受信モードまたは自動切り替えモードのときには報知を選択する（Ｓ６、Ｓ１０）。
【００６０】
自動受信モードは、外部電話機５００の使用を前提としないモードであるため、このモードで電話回線４００との接続が断たれている場合には、それがユーザの意図によるもの（モジュラー線抜け）と判断できる。したがって、自動受信モードにおいて、電話回線４００との接続が断たれている場合には、それがユーザの意図によるものかどうかを、わざわざ報知によってユーザに確認する必要がない。このため、電話回線４００との接続が断たれている場合は、報知によるユーザへの確認なしに直ちにオフモードに移行して、より省電力化を図ることができ、上述した環境規制の要求に応えることが可能となる。
【００６１】
一方、手動受信モードや自動切り替えモードは、外部電話機５００の使用を前提とするモードであるため、このモードで電話回線４００との接続が断たれている場合には、それがユーザの意図によらないもの（交換局６００等の一時的な停電）と判断できる。したがって、手動受信モードまたは自動切り替えモードで、電話回線４００との接続が断たれている場合に、外部電話機５００による報知を行うことで、接続が断たれたことがユーザの意図によらないものかどうかをユーザに確認し、ユーザ指示に基づいて電力供給モードをオフモード以外のモード（通常モードまたは省電力モード）に移行させることができる。その結果、オフモードへの移行による上述の弊害を確実に回避できる。
【００６２】
また、報知制御部としての回線制御部７１が、受信モードに応じてユーザへの報知を選択したときに（Ｓ６、Ｓ１０）、外部電話機５００を鳴動させることによって、接続が断たれていることを周囲に報知させる（Ｓ７、Ｓ１１）。これにより、ユーザは、外部電話機５００から少し離れた場所にいても、外部電話機５００の鳴動によって電話回線４００との接続が断たれていることを認識することができる。
【００６３】
また、回線制御部７１は、外部電話機５００の鳴動後、受話ができる状態となったときに（外部電話機５００の受話器を上げたとき、外部電話機５００が留守番電話機として応答したとき）、電話回線４００との接続が断たれていることを示す音声パターンを流す（Ｓ７、Ｓ１１）。これにより、ユーザは、音声パターンによって電話回線４００との接続が断たれていることを確実に認識することができる。
【００６４】
また、省電力制御部６は、通常モードまたは一時復帰モードにおいて、電話回線４００との接続が断たれていると判断され（Ｓ１）、受信モードに応じてユーザへの非報知が選択された場合（Ｓ３）、電力供給モードをオフモードに移行させる（Ｓ４）。このように、ユーザへの報知を行うことなくオフモードに移行することで、オフモードへの移行要因が発生したときは直ちにオフモードに移行させて、より省電力化を図る環境規制の要求に十分応えることができる。
【００６５】
（電力供給モードに応じた処理）
次に、電力供給モードに応じた処理について説明する。図５は、複合機１００において、電話回線４００との接続が断たれていることを検知した場合の処理の流れの他の例を示すフローチャートである。
【００６６】
まず、ファクシミリ部７の回線制御部７１で検知される回線電圧に基づき、ＣＰＵ７２にて電話回線４００との接続が断たれている（回線電圧が喪失している）と判断されると（Ｓ２１）、省電力制御部６のＣＰＵ６１は、接続状態の判断時の電力供給モードを把握する（Ｓ２２）。
【００６７】
Ｓ２２にて、接続状態の判断時の電力供給モードが通常モードである場合、ユーザが複合機１００を頻繁に利用しており、ユーザが複合機１００の近くにいる可能性が高いと考えられる。この場合、本体制御部４のＣＰＵ４１は、電話回線４００との接続が断たれていることのユーザへの報知を選択し（Ｓ２３）、ユーザへの確認を促すべく、操作パネル１の表示部１１に、電話回線４００との接続が断たれていることを警告として表示させるとともに、警告音発生部８にて警告音を発生させる（Ｓ２４）。
【００６８】
Ｓ２４の後は、入力部としての操作パネル１にて、ユーザからの電力供給モードの指定を受け付ける。そして、省電力制御部６は、操作パネル１にて電力供給モードの指定があったときに（Ｓ２５）、電力供給モードを指定されたモード（通常モード、省電力モード、オフモード）に移行させる（Ｓ２６）。Ｓ２５にて、電力供給モードの指定がなければ、ＣＰＵ６１は、オフモードへの移行を行わず、処理を終了する。
【００６９】
一方、Ｓ２２にて、接続状態の判断時の電力供給モードが通常モードでない場合、ＣＰＵ６１は、判断時の電力供給モードが一時復帰モードであると認識する（Ｓ２７）。なお、省電力モードおよびオフモードでは、ＣＰＵ７２に電力が供給されないため、ＣＰＵ７２が接続状態を判断することはできない。それゆえ、Ｓ２７にて、ＣＰＵ６１が判断時の電力供給モードを省電力モードまたはオフモードと認識することはあり得ない。
【００７０】
Ｓ２７にて一時復帰モードと認識された場合、本体制御部４のＣＰＵ４１は、電話回線４００との接続が断たれていることのユーザへの報知を選択し（Ｓ２８）、ユーザへの確認を促すべく、操作パネル１の表示部１１にて、電話回線４００との接続が断たれていることの警告表示のみを行わせる（Ｓ２９）。なお、警告音を発生させないのは、省電力モードでは、ユーザが複合機１００の近くにいないことが想定され、警告音を発してもユーザがそれを認識できない可能性が高いためである。
【００７１】
省電力制御部６の計時部６６は、表示部１１での警告表示を開始してからの時間を計時する。ＣＰＵ６１は、警告表示を開始してから所定時間内に、操作パネル１にてユーザから電力供給モードの指定がされた場合には（Ｓ３０）、電力供給モードをユーザが指定したモードに移行させる（Ｓ３１）。一方、上記所定時間内に電力供給モードの指定がない場合には、ユーザが複合機１００を使用しておらず、オフモードに移行しても利便性が損なわれる可能性が少ないと考えられるため、ＣＰＵ６１は、電力供給モードをオフモードに移行させる（Ｓ３１）。
【００７２】
以上のように、本体制御部４（ＣＰＵ４１）は、ファクシミリ部７のＣＰＵ７２にて電話回線４００との接続が断たれていると判断された場合に（Ｓ２１）、接続状態の判断時の電力供給モードに応じて（Ｓ２２、Ｓ２７）、複合機１００が備える報知部（表示部１１、警告音発生部８）での報知の態様を異ならせる報知制御部として機能している（Ｓ２４、Ｓ２９）。接続状態の判断時の電力供給モードに応じて報知の態様を異ならせることにより、ユーザによる複合機１００の使用状態に応じた報知が可能となる。
【００７３】
また、複合機１００が備える報知部は、電話回線４００との接続が断たれていることを警告として表示するための表示部１１と、警告音を発生する警告音発生部８とを有している。そして、報知制御部としての本体制御部４は、ＣＰＵ７２による接続状態の判断時の電力供給モードが通常モードである場合には、表示部１１に上記警告を表示させるとともに、警告音発生部８にて警告音を発生させる（Ｓ２４）。判断時の電力供給モードが通常モードである場合には、ユーザが複合機１００を通常モードで頻繁に使用しており、複合機１００の近くにいることが想定されるため、表示部１１での警告表示と、警告音発生部８での警告音の発生とにより、電話回線４００との接続が断たれていることをユーザに確実に認識させることができる。
【００７４】
また、省電力制御部６は、報知部（表示部１１、警告音発生部８）による報知後、操作パネル１（入力部）にて電力供給モードの指定があったときに、指定された電力供給モードに移行させる（Ｓ２６）。このように、ユーザの意思に基づいて電力供給モードを制御するため、たとえユーザの指定に基づいてオフモードに移行したとしても、ユーザの利便性が損なわれることはない。
【００７５】
また、本体制御部４は、電話回線４００との接続状態の判断時の電力供給モードが一時復帰モードである場合には、表示部１１にて警告表示のみを行わせる（Ｓ２９）。通常モードに一時復帰する前の省電力モードにおいては、ユーザが複合機１００を使用していないことが想定されるため、表示部１１での警告表示のみを行うことで、長期にわたって（表示されている期間全体にわたって）、ユーザへの確認を促すことができる。
【００７６】
また、省電力制御部６は、表示部１１での警告表示を開始してから所定時間内に、操作パネル１にて電力供給モードの指定があったときに、指定された電力供給モードに移行させ（Ｓ２６）、電力供給モードの指定がなかったときにはオフモードに移行させる（Ｓ３１）。電力供給モードの指定は、ユーザの意思に基づくものであるため、たとえユーザ指定に基づいてオフモードに移行したとしても、ユーザの利便性が損なわれることはない。また、警告表示を開始してから電力供給モードの指定なく所定時間が経過したときは、ユーザが複合機１００を使用していない可能性が高く、オフモードに移行しても、ユーザの利便性が損なわれる可能性は少ない。したがって、この場合は、オフモードに移行することで、より省電力化を図る環境規制の要求に応えることができる。
【００７７】
（予め設定された条件に応じた処理）
次に、操作パネル１によって予め設定された条件に応じた処理について説明する。図６は、複合機１００において、電話回線４００との接続が断たれていることを検知した場合の処理の流れのさらに他の例を示すフローチャートである。
【００７８】
まず、ファクシミリ部７の回線制御部７１で検知される回線電圧に基づき、ＣＰＵ７２にて電話回線４００との接続が断たれている（回線電圧が喪失している）と判断されると（Ｓ４１）、本体制御部４のＣＰＵ４１は、操作パネル１でのユーザ入力により、ユーザへの報知要が設定されているか否かを判断する（Ｓ４２）。ユーザへの報知要が設定されている場合、ＣＰＵ４１は、ユーザへの報知を選択し（Ｓ４３）、画像形成機構３を制御して、電話回線４００との接続が断たれていることを示すレポートを用紙上に出力させることにより報知を行わせ（Ｓ４４）、その後、Ｓ４６に移行する。一方、Ｓ４２にて、ユーザへの報知不要が設定されている場合、ＣＰＵ４１は、ユーザへの非報知を選択し（Ｓ４５）、そのままＳ４６に移行する。
【００７９】
Ｓ４６では、ＣＰＵ４１は、操作パネル１でのユーザ入力により、オフモードへの移行要が設定されているか否かを判断する。オフモードへの移行要が設定されている場合、省電力制御部６のＣＰＵ６１は、電力供給モードをオフモードに移行させ（Ｓ４７）、一連の処理を終了する。一方、Ｓ４６にて、オフモードへの移行不要が設定されている場合、ＣＰＵ６１は、電力供給モードをオフモードに移行せず（通常モードまたは省電力モードに移行または維持）して（Ｓ４８）、処理を終了する。
【００８０】
以上のように、本体制御部４（ＣＰＵ４１）は、ファクシミリ部７のＣＰＵ７２にて電話回線４００との接続が断たれていると判断されたときに（Ｓ４１）、設定部としての操作パネル１にてユーザへの報知要が設定されている場合のみ、複合機１００が備える報知部（画像形成機構３）によって報知させる（Ｓ４４）。回線断が生じたときに、ユーザが希望する場合のみ報知を行うため、ユーザの希望に沿った報知制御を実現することができる。また、回線断が生じたときに、ユーザは報知によって回線断を確実に認識して、それがユーザの意図によるものか否かを確実に判断できる。
【００８１】
また、省電力制御部６（ＣＰＵ６１）は、電話回線４００との接続が断たれていると判断されたときに（Ｓ４１）、設定部としての操作パネル１にてオフモードへの移行要が設定されている場合のみ、電力供給モードをオフモードに移行させる（Ｓ４６、Ｓ４７）。回線断が生じたときに、ユーザが希望する場合のみオフモードに移行するため、ユーザの希望に沿った電力供給モード制御を実現できる。また、オフモードに移行することで、より低消費電力を図る環境規制の要求に応えることができる。さらに、例えば回線断／復帰が頻繁に行われるなど、複合機１００の設置環境が悪い場合には、ユーザがオフモードへの移行不要を設定しておくことで、オフモードへの移行を阻止できるため、設置環境に合った電力供給モード制御を実現することもできる。
【００８２】
また、本体制御部４は、報知部としての画像形成機構を制御して、電話回線４００との接続が断たれていることを示すレポートを用紙上に出力させることにより、報知を行わせる（Ｓ４４）。これにより、ユーザが複合機１００から離れた場所にいて、その後、いつ戻ってきても、レポートが印字された用紙を見ることで、回線断が生じたことを認識できる。また、例えば用紙へのレポート印字後にオフモードに移行したとしても、ユーザはオフモードに移行する原因が回線断であったことを、その用紙（レポート）を見て認識できる。
【００８３】
なお、以上で説明した３パターンの処理のうち、いずれか２つまたは３つ全てを組み合わせて処理を行ってもよい。例えば、ファクシミリ部７の受信モードに応じた報知制御では、外部電話機５００を用いて報知を行い、電力供給モードに応じた報知制御では、複合機１００の表示部１１や警告音発生部８にて報知を行う。したがって、受信モードと電力供給モードとの組み合わせに応じた報知を行うことも可能である。また、設定部（操作パネル１）により、回線断のときに報知要が予め設定されている場合は、受信モードと電力供給モードとの組み合わせに応じた報知を行い、報知不要が予め設定されている場合は上記報知を行わないようにすることも可能である（ユーザ設定を優先した報知制御を行ってもよい）。
【００８４】
以上のことから、本実施形態の画像形成装置としての複合機１００は、以下のように表現することができる。すなわち、複合機１００は、電話回線４００を介して外部との間でデータを送受信するファクシミリ部７と、ファクシミリ部７に電力を供給するための電力供給部５とを備えており、ファクシミリ部７は、電話回線４００に印加されている回線電圧に基づいて、電話回線４００とファクシミリ部７との接続状態を判断する接続状態判断部としてのＣＰＵ７２を有している。複合機１００は、ＣＰＵ７２によって電話回線４００との接続が断たれていると判断された場合に、ファクシミリ部７の受信モード、上記接続状態の判断時の電力供給部５の電力供給モード、設定部としての操作パネル１により予め設定された条件の少なくともいずれかに応じて、接続が断たれていることの報知／非報知を選択し、報知を選択した場合は、外付けの報知部（例えば外部電話機５００）、および／または複合機１００が備える報知部（例えば表示部１１、警告音発生部８、画像形成機構３）を動作させて、接続が断たれていることを周囲に報知させる報知制御部（回線制御部７１、本体制御部４）をさらに備えている。
【００８５】
回線断が生じたときに、報知制御部は、ファクシミリ部７の受信モード、接続状態の判断時の電力供給モード、予め設定された条件の少なくともいずれかに応じて、報知／非報知を選択し、報知を選択した場合は報知部にて報知させる。これにより、回線断がユーザの意図によるものかどうかをユーザに確認できる。そして、回線断がユーザの意図によらないもの（例えば交換局６００の停電）である場合には、ユーザは、必要に応じて、電力供給モードを、停電からの復旧後にファクシミリ部７にてデータを受信することができるモード（通常モードや省電力モード）に移行するよう指示できる。したがって、回線断がユーザの意図によらないものである場合に、復旧後にデータを受信できない事態が生じたり、外部電話機５００にて通話ができない事態が生じるのを回避することができ、ユーザの利便性が低下するのを回避することができる。
【００８６】
なお、以上では、ファクシミリ部７の回線制御部７１とＣＰＵ７２とを別々に構成した例について説明したが、回線制御部７１にＣＰＵ７２の機能（例えば電話回線４００に印加されている回線電圧に基づいて電話回線４００との接続状態を判断する機能）を持たせることも可能である。
【００８７】
以上、本発明の実施の形態について説明したが、本発明の範囲はこれに限定されるものではなく、発明の主旨を逸脱しない範囲で種々の変更を加えて実施することができる。
【産業上の利用可能性】
【００８８】
本発明は、ファクシミリ部を備えた画像形成装置に利用可能である。
【符号の説明】
【００８９】
１      操作パネル（設定部、入力部）
３      画像形成機構（報知部）
４      本体制御部（報知制御部）
５      電力供給部
６      省電力制御部（電力供給制御部）
７      ファクシミリ部
８      警告音発生部（報知部）
１１      表示部（報知部）
７１      回線制御部（報知制御部）
７２      ＣＰＵ（接続状態判断部）
１００      複合機（画像形成装置）
４００      電話回線
５００      外部電話機（外付けの報知部）
【図１】
2016100810.tif 000003
【図２】
2016100810.tif 000004
【図３】
2016100810.tif 000005
【図４】
2016100810.tif 000006
【図５】
2016100810.tif 000007
【図６】
2016100810.tif 000008